(57)【要約】【課題】ＲＦＩＤラベルが剥離紙に一定の短い間隔で隣接して仮着してある印字用紙であっても、読み書き対象のＲＦＩＤラベルに対してのみ読み書きを行うことを実現することである。【解決手段】ＲＦＩＤプリンタは、ＲＦＩＤラベルが剥離しに予め定められた間隔で仮着された印字用紙を搬送する搬送部と、ＲＦＩＤラベルの表面に印字を行う印字部と、ＲＦＩＤラベルに対して情報の書き込み及び読み取りの通信を行うＲＦＩＤリーダーライター部とを備え、搬送方向の前後左右に対してスライドする遮蔽板で、ＲＦＩＤラベルとＲＦＩＤリーダーライター部との通信を制限する遮蔽板スライド部を有し、この遮蔽板スライド部によって、ＲＦＩＤリーダーライター部の通信可能領域内にあって、通信を行う目的のＲＦＩＤラベルに隣接するＲＦＩＤラベルへの通信を制限する。【選択図】図２
2010079594.tif 000002
【特許請求の範囲】
【請求項１】
ＲＦＩＤラベルが剥離しに予め定められた間隔で仮着された印字用紙を搬送する搬送部と、前記ＲＦＩＤラベルの表面に印字を行う印字部と、前記ＲＦＩＤラベルに対して情報の書き込み及び読み取りの通信を行うＲＦＩＤリーダーライター部と、を有するＲＦＩＤプリンタにおいて、
搬送方向の前後左右に対してスライドする遮蔽板で、前記ＲＦＩＤラベルと前記ＲＦＩＤリーダーライター部との通信を制限する遮蔽板スライド部を有し、前記遮蔽板スライド部によって、前記ＲＦＩＤリーダーライター部の通信可能領域内にあって、通信を行う目的のＲＦＩＤラベルに隣接するＲＦＩＤラベルへの通信を制限する
ことを特徴とするＲＦＩＤプリンタ。
【請求項２】
請求項１記載のＲＦＩＤプリンタであって、
前記遮蔽板スライド部は、前記ＲＦＩＤラベルの通信を不能にする金属板と、前記金属板を支持する金属板受け部と、前記金属板をスライド可能にする前記金属板受け部に接続する調節螺子と、を有する
ことを特徴とするＲＦＩＤプリンタ。
【請求項３】
請求項１または2記載のＲＦＩＤプリンタであって、
前記遮蔽板スライド部は、前記ＲＦＩＤリーダーライター部の通信領域内のＲＦＩＤラベルの搬送経路を、前記ＲＦＩＤリーダーライター部が通信する目的のＲＦＩＤラベルの部分以外は遮蔽するような形状を有する
ことを特徴とするＲＦＩＤプリンタ。
【発明の詳細な説明】
【技術分野】
【０００１】
本発明は、ＲＦＩＤプリンタに係り、特に、複数のＲＦＩＤラベルが剥離紙に一定間隔で隣接して仮着している場合の印刷用紙であっても、読み書き対象のＲＦＩＤラベルに対してのみ読み書きを行うことができるＲＦＩＤプリンタに関するものである。
【背景技術】
【０００２】
図５に示すように、帯状に形成された剥離紙に多数のＲＦＩＤラベル５５を搬送方向に一定の間隔をもって仮着して構成される印字用紙６５において、この間隔（以下、ピッチとする）が狭いＲＦＩＤラベル５５の場合、隣接するＲＦＩＤラベル５５の搬送方向への間隔が短くなり、ＲＦＩＤリーダーライター部のアンテナ５６の情報の書き込み及び読み取りを行う範囲である通信領域に複数のＲＦＩＤラベル５５が入ってしまうという問題があった。
【０００３】
上記の理由によって、ＲＦＩＤリーダーライター部の通信領域であって、ＲＦＩＤリーダーライター部で通信を行う目的のＲＦＩＤラベル５５ｂに隣接しているＲＦＩＤラベル（以下、隣接ＲＦＩＤラベルとする）５５ａ、５５ｃ、つまりＲＦＩＤリーダーライター部の通信領域であって、通信を行う目的のＲＦＩＤラベル５５ｂの搬送前後のＲＦＩＤラベル５５ａ、５５ｃにも、ＲＦＩＤリーダーライターの通信に応答し、情報の書き込み及び読み取りが行われてしまうことがあった。
【０００４】
そこで、特許文献１に記載された発明では、ＲＦＩＤプリンタに備えられた搬送方向前後にスライドする金属板５９によって、ＲＦＩＤラベル５５を通信不能に調整できるようにし、この金属板５９を有する金属スライド部によって、ＲＦＩＤリーダーライター部の通信領域内にあっても、ＲＦＩＤリーダーライター部が通信する目的以外の隣接ＲＦＩＤラベル５５ｃを通信不能に調整できることが記載されている（図６参照）。
【０００５】
【特許文献１】特開２００７−２８３６１９号公報
【発明の開示】
【発明が解決しようとする課題】
【０００６】
ところが、特許文献１に記載された発明では、図６から分かるように、書き込み及び読み取りを目的としたＦＲＩＤラベル５５ｂに対して書き込みまたは読み取りが実行された後、ＲＦＩＤラベル５５が仮着された間隔を１ピッチ分搬送し、次の書き込み及び読み取りを目的としたＦＲＩＤラベル５５ｃをＲＦＩＤリーダーライター部の通信領域に位置させた場合、金属スライド部は、これから書き込み及び読み取りの対象となるＲＦＩＤラベル５５ｃの次のＲＦＩＤラべル５５ｄへの通信を不能に調整できるが、書き込みまたは読み取りを実行されたＲＦＩＤラベル５５ｂには、ＲＦＩＤリーダーライター部の通信を調整することができない。このような状況では、書き込みまたは読み取りが実行されたＲＦＩＤラベルに５５ｂに、ＲＦＩＤリーダーライター部による通信が達してしまうので、書き込みまたは読み取りが実行されたＲＦＩＤラベル５５ｂは、目的としない更なる書き込みや、ＲＦＩＤプリンタ本体のＲＦＩＤラベル５５ｂから不必要な読み取りを実行するなどの不具合が発生するという問題があった。
【０００７】
そこで、本願発明は、上記のような問題に着目してなされたものであって、ＲＦＩＤラベルが剥離紙に一定の狭い間隔で隣接して仮着してある印字用紙であっても、読み書き対象のラベルに対してのみ読み書きを行うことができるＲＦＩＤプリンタを提供することを目的とする。
【課題を解決するための手段】
【０００８】
本願発明のＲＦＩＤプリンタは、ＲＦＩＤラベルが剥離しに予め定められた間隔で仮着された印字用紙を搬送する搬送部と、ＲＦＩＤラベルの表面に印字を行う印字部と、ＲＦＩＤラベルに対して情報の書き込み及び読み取りの通信を行うＲＦＩＤリーダーライター部と、を有するＲＦＩＤプリンタであって、搬送方向の前後左右に対してスライドする遮蔽板で、ＲＦＩＤラベルとＲＦＩＤリーダーライター部との通信を制限する遮蔽板スライド部を有し、遮蔽板スライド部によって、ＲＦＩＤリーダーライター部の通信可能領域内にあって、通信を行う目的のＲＦＩＤラベルに隣接するＲＦＩＤラベルへの通信を制限する。
【発明の効果】
【０００９】
本願発明によれば、ＲＦＩＤラベルが剥離紙に一定の狭い間隔で隣接して仮着してある印字用紙であっても、読み書き対象のラベルに対してのみ読み書きを行うことができるという効果を奏する。
【００１０】
また、ＲＦＩＤラベルが剥離紙に一定間隔で隣接して仮着してある印字用紙において、ＲＦＩＤラベルの仮着間隔や印字用紙幅が変化しても、読み書き対象のラベルに対してのみ読み書きを行うことができるという効果を奏する。
【発明を実施するための最良の形態】
【００１１】
本発明を実施するための最良の形態について図面を用いて説明する。ＲＦＩＤプリンタ１は、図１に示すように、用紙保持部２と、インクリボンユニット３と、印字部４と、ＲＦＩＤリーダーライター部５と、金属スライド部６と、制御部７と、を備えている。
【００１２】
ＲＦＩＤラベル１０は、剥離紙１２に粘着剤を介して紙、フィルムなどから成るラベルが貼り付けられており、剥離紙１２とラベルの間にはＩＣチップ及びアンテナからなるＲＦＩＤ（Ｒａｄｉｏ  Ｆｒｅｑｕｅｎｃｙ  Ｉｄｅｎｔｉｆｉｃａｔｉｏｎ）インレットが配置され構成されている。このＲＦＩＤラベル１０は、剥離紙１２に対して搬送方向に等間隔で仮着されている。
【００１３】
インクリボンユニット３は、リボン供給部１７とリボン巻取部１８を有し、ロール状に巻回されたインクリボン１９がリボン供給部１７から印字部４を介してリボン巻取部１８に保持され、このリボン巻取部１８を図示しないモーターの駆動力によって回転駆動させることにより使用済みのインクリボン１９が巻き取られる。
【００１４】
印刷部４は、図示しないモーターに接続されたプラテンローラー２２とサーマルヘッド２３を有し、プラテンローラー２２の回転駆動により印字用紙１１を用紙保持部２側の搬送方向上流側から印字部４に向かう下流側に搬送し、サーマルヘッド２３の発熱作用によりＲＦＩＤラベル１０の表面に印字を行う。
【００１５】
また、金属板スライド部６を後述するＲＦＩＤラベル１０の１枚分のピッチに調節後に書き込み及び読み取りを目的とするＲＦＩＤラベル１０がＲＦＩＤリーダーライター部５と通信できる位置に搬送するように印字部４のプラテンローラー２２を回転駆動させるものとする。
【００１６】
なお、プラテンローラー２２による回転駆動速度は、印字速度やＲＦＩＤリーダーライター部５のＲＦＩＤラベル１０への情報の書き込み及び読み取りの速度（処理速度）によって変更できるものとする。
【００１７】
ＲＦＩＤリーダーライター部５は、アンテナ２７と、通信部２８を有し、用紙保持部２と印字部４との間に配置され、ＲＦＩＤラベル１０に情報を書き込み及びＲＦＩＤラベル１０から情報の読み取りを行うものである。
【００１８】
アンテナ２７は、印字用紙１１の搬送経路中で、用紙保持部２と印字部４との間のＲＦＩＤラベル１０が通過する領域に対向する位置に配置され、ＲＦＩＤラベル１０のＲＦＩＤインレットに対して、書き込み及び読み取りの電波を出力するものである。この電波には、ＲＦＩＤインレットに対して書き込み及び読み取りができる範囲である通信領域がある。この通信領域の範囲は、搬送方向と搬送方向に直行する方向に対しては、アンテナ２７の面積と略同一の範囲であり、高さ方向には、アンテナ２７の中央部を最大として端部にかけて弱くなる。
【００１９】
また、図１では、アンテナ２７はＲＦＩＤラベル１０の下面に配置されているが、上面であっても良い。
【００２０】
ＲＦＩＤラベル１０は、印字用紙１１の剥離紙１２側（下面）及びＲＦＩＤラベル１０側（上面）に対して、金属を接触若しくは極めて近づけるように設置することにより、ＲＦＩＤリーダーライター部５からの通信があってもＲＦＩＤインレットの通信機能が失われることによって書き込み及び読み取りの機能が不能になる特性がある。
【００２１】
ＲＦＩＤラベル１０が小ピッチであるために、剥離紙１２に仮着された複数のＲＦＩＤラベル１０同士の搬送方向への間隔が狭くなり、ＲＦＩＤリーダーライター部５と通信する目的以外である隣接ＲＦＩＤラベルがＲＦＩＤリーダーライター部５の通信領域内に入ってしまい、隣接ＲＦＩＤラベルに書き込み及び読み取りすることを防止するために、隣接ＲＦＩＤラベルの剥離紙１２側（ＲＦＩＤラベルの下面）に金属板スライド部６を形成し、隣接ＲＦＩＤラベルをＲＦＩＤリーダーライター部５から通信不能にしている。
【００２２】
この金属板スライド部６は、ＲＦＩＤリーダーライター部５の上面に設置し、印字用紙１１の搬送経路の一部を形成している。
【００２３】
金属板スライド部６は、図２に示すように、金属板３２と、金属板受け部３３と、調節螺子３４と、によって構成されている。この金属板スライド部６によって隣接ＲＦＩＤラベルのＲＦＩＤインレットを通信不能にしている。なお、実施例では、金属板によって、ＲＦＩＤインレットの通信不能を実現しているが、金属板以外の材料であっても、通信を遮蔽する材料であれば良い。
【００２４】
金属板３２は、ＲＦＩＤリーダーライター部５の通信領域内に入る隣接ＲＦＩＤラベルを通信不能するための板状の金属であって、後述する金属板受け部３３に調節螺子３４を介して、搬送方向の前後左右に対して、スライド可能に接続できる構造になっている。
【００２５】
この金属板３２の大きさは、書き込み及び読み取りを目的とするＲＦＩＤラベルとその隣接ＲＦＩＤラベルをＲＦＩＤリーダーライター部５の通信から通信不能にできる縦横の大きさ（搬送方向と搬送方向に直行する大きさ）であり、かつ、書き込み及び読み取りを目的とするＲＦＩＤラベルの大きさの貫通穴が形成されている。また、厚みは、ＲＦＩＤプリンタ１の他の構成に邪魔にならない厚みであれば良い。
【００２６】
図３に示すように、書き込み及び読み取りを目的とするＲＦＩＤラベルの大きさの貫通穴は、金属板３２ａ、３２ｂによって形成される。金属板３２ａ、３２ｂは、Ｌ字形を有しており、ＲＦＩＤラベルの大きさ、即ち、印字用紙に仮着してあるＲＦＩＤラベルの間隔や印字用紙幅に合わせて、上記貫通穴の貫通面積を自由に選定し、金属板受け部３３で金属板３２ａ、３２ｂを挟みこみ、調節螺子３４で、その貫通穴の大きさを維持したままで、金属板３２ａ、３２ｂを固定する。
【００２７】
また、金属板３２をＲＦＩＤラベル１０の剥離紙１２の下面に配置した場合、ＲＦＩＤリーダーライター部５からの通信も遮蔽することができる。よって金属板３２をＲＦＩＤラベル１０の剥離紙１２の下面に配置すると、隣接ＲＦＩＤラベル１０の通信機能を不能にすると同時に、ＲＦＩＤリーダーライター部５からの通信も遮蔽できる。
【００２８】
上述した金属板スライド部６の調節方法は、調節螺子３４を金属板３２がスライドできる状態に開放し、図示しないスライド目盛等を見ながら金属板３２をＲＦＩＤラベル１０のピッチ分スライドさせ、その後に、金属板３２を調節螺子３４によって金属板受け部３３に係止する状態にする。このようにすると、ＲＦＩＤリーダーライター部５の通信領域内の搬送経路が、単枚のＲＦＩＤラベル１０のピッチ分を残して金属板３２になるため、ＲＦＩＤリーダーライター部５の通信領域内に入る隣接ＲＦＩＤラベルの搬送経路は金属板３２となり、よって隣接ＲＦＩＤラベルは通信不能となる。
【００２９】
図３は、ＲＦＩＤプリンタ１の制御部７を示すブロック図である。
【００３０】
制御部７は、ＣＰＵ４５と、ＲＯＭ４６と、ＲＡＭ４７と、用紙搬送制御回路４８と、サーマルヘッド制御回路４９と、ＲＦＩＤリーダーライター部制御回路５０と、インタフェース５１と、データーバス５２と、により構成される。
【００３１】
ＣＰＵ４５は、ＲＯＭ４６に記憶している制御プログラムに従って動作し、各部を制御するものである。
【００３２】
ＲＯＭ４６は、制御プログラムを記憶しており、この制御プログラムをＲＡＭ４７に展開するものである。このＲＯＭ４６には、制御プログラムを記憶するエリアと、フォントデーター等の各種固定データーを記憶するエリアと、各種制御テーブルデーターを記憶するエリアと、各種ＩＯ定数を記憶するエリアと、により構成されている。
【００３３】
ＲＡＭ４７は、ＣＰＵ４５が動作する上で必要となる各種データーを記憶するものである。
【００３４】
また、ＲＡＭ４６は、各種フラグの値を記憶するフラグ記憶エリアと、作業用データーを記憶するワークエリアと、印字すべき文字等のビットマップイメージデーターを展開して印字フォーマットを形成するための印字展開エリアと、により構成される。
【００３５】
用紙搬送制御回路４８は、図示しないモーターを含むプラテンローラー２２にパルス信号を出力し、印字用紙１１の搬送を制御するものである。
【００３６】
この用紙搬送制御回路４８によって、金属板スライド部６をＲＦＩＤラベル１０１枚分のピッチに合わせて調節後に、ＲＦＩＤラベル１０がＲＦＩＤリーダーライター部５と通信できる位置に搬送されるように制御される。
【００３７】
サーマルヘッド制御回路４９は、ＣＰＵ４５から供給される印字すべき文字、図形などの印字データーに対応する制御信号を生成し、サーマルヘッド２３に供給して印字動作を行わせるものである。
【００３８】
ＲＦＩＤリーダーライター部制御回路５０は、ＣＰＵ４５から供給されるＲＦＩＤラベル１０のＲＦＩＤインレットに書き込み及び読み取りすべき情報に対応する制御信号を生成し、ＲＦＩＤリーダーライター部５にＲＦＩＤラベル１０のＲＦＩＤインレットに情報の読み取り及び書き込みを行わせるものである。
【００３９】
インタフェース５１は、ＣＰＵ４５の管理下で図示しないホストコンピューター等を接続する経路のことである。
【００４０】
このインタフェース５１によって、ホストコンピューターからの印字データーやＲＦＩＤラベル１０に書き込む情報などを受信することができる。
【００４１】
データーバス５２は、各部が情報を交換するための共通の経路のことである。
【００４２】
上述した各部は、データーバス５２を介してＣＰＵ４５に接続され、ＣＰＵ４５の管理下インタフェース５１を介して接続された図示しないホストコンピューターより印字データーやＲＦＩＤラベル１０に書き込み及び読み取りを行う情報などのコマンドを受信し、受信した印字データーやコマンドに従ってＲＦＩＤラベル１０に印字や情報の書き込み及び読み取りを行う。
【００４３】
上述したように、本発明のＲＦＩＤプリンタ１は、ＲＦＩＤリーダーライター部５の通信領域に入ってくる隣接ＲＦＩＤラベルの搬送経路に金属板スライド部６を設置することによって、隣接ＲＦＩＤラベルの通信を不能にして、通信目的とするＲＦＩＤラベル１０にのみ情報の書き込み及び読み込みを行うことができる。
【００４４】
なお、本発明が、上記実施の形態に限定されず、本発明の技術思想の範囲内において、実施の形態は適宜変更可能である。また、上記構成要件の数、位置、形状等は、上記実施の形態に限定されず、本発明を実施する以上で好適な数、位置、形状等にすることができる。
【図面の簡単な説明】
【００４５】
【図１】本発明のＲＦＩＤプリンタの概略図。
【図２】印字用紙とＲＦＩＤリーダーライター部と金属板スライド部を示す平面図。
【図３】金属スライド部の詳細図。
【図４】ＲＦＩＤプリンタの制御部を示すブロック図。
【図５】従来の印字用紙とＲＦＩＤリーダーライター部を示す平面図。
【図６】従来の印字用紙とＲＦＩＤリーダーライター部と金属板を示す平面図。
【符号の説明】
【００４６】
１  ＲＦＩＤプリンタ
２  用紙保持部
３  インクリボンユニット
４  印字部
５  ＲＦＩＤリーダーライター部
６  金属板スライド部
７  制御部
１０  ＲＦＩＤラベル
１１  印字用紙
１２  剥離紙
１７  リボン供給部
１８  リボン巻取部
１９  インクリボン
２２  プラテンローラー
２３  サーマルヘッド
２７  アンテナ
２８  通信部
３２  金属板
３３  金属板受け部
３４  調整螺子
４５  ＣＰＵ
４６  ＲＯＭ
４７  ＲＡＭ
４８  用紙搬送制御部
４９  サーマルヘッド制御回路
５０  ＲＦＩＤリーダーライター部制御回路
５１  インタフェース
５２  データーバス
５５  ＲＦＩＤラベル
５６  アンテナ
５７  通信部
５９  印字部
６０  ＲＦＩＤプリンタ
６４  剥離紙
６５  印字用紙
【図１】
2010079594.tif 000003
【図２】
2010079594.tif 000004
【図３】
2010079594.tif 000005
【図４】
2010079594.tif 000006
【図５】
2010079594.tif 000007
【図６】
2010079594.tif 000008